(57)【要約】【課題】スクリーンに投射される画像の位置等を、容易に調整できるようにする。【解決手段】映像源１から出射された光像は、反射ミラー２にて反射されてスクリーン３に投射される。そのときの画像は、スクリーン３の中央部に表示される必要があるが、もし偏った位置や偏った状態に表示されるような場合には、±Ｙ方向、±Ｘ方向、±θｘ方向、±θｙ方向、±θｚ方向に映像源１を移動し、スクリーン３（正確には、そのエスカッション）を±Ｚ方向に移動して調整する。これにより、画像が偏った位置や状態に表示されることを防止することができる。また、±Ｚ方向の位置調整は他の方向の位置調整とは無関係に独立して行うことができるため、調整作業も容易となる。【選択図】　　　図２
2004069776.tif 000002
【特許請求の範囲】
【請求項１】
光像を出力する光像出力手段と、該光像出力手段からの光像を反射させる反射手段と、該反射手段にて反射された光像が投射されるスクリーン部材と、を備え、該スクリーン部材の背面側から投射された光像を該スクリーン部材の正面側から視認するようにした背面投射型プロジェクタ装置において、
正面側に露出されている前記スクリーン部材中の領域は位置調整可能に構成され、
前記光像出力手段は位置調整可能に構成され、かつ、
前記スクリーン部材中の領域及び前記光像出力手段の位置を適正に調整することに基き、前記光像出力手段からの光像が前記スクリーン部材中の領域に適正に投射されるようにした、
ことを特徴とする背面投射型プロジェクタ装置。
【請求項２】
前記スクリーン部材の周縁部を被覆するように被覆部材が配置され、
該被覆部材が位置調整可能に構成されることに基き、正面側に露出されている前記スクリーン部材中の領域が位置調整可能になるように構成された、
ことを特徴とする請求項１に記載の背面投射型プロジェクタ装置。
【発明の詳細な説明】
【０００１】
【発明の属する技術分野】
本発明は、スクリーン部材の背面側から投射された光像を該スクリーン部材の正面側から視認するようにした背面投射型プロジェクタ装置に関する。
【０００２】
【従来の技術】
近年、スクリーン部材の背面側から投射された光像を該スクリーン部材の正面側から視認するようにしたリアプロジェクタ（背面投射型プロジェクタ装置）が提案されている。
【０００３】
このようなリアプロジェクタは、ＣＲＴディスプレイ装置と比較して、大画面でありながら奥行きや設置面積が小さくて済むという特徴を有している。
【０００４】
図５は、従来のリアプロジェクタの構造の一例を示す断面図であるが、該リアプロジェクタは、光像を出力する映像源（光像出力手段）１と、該映像源１からの光像を反射する反射ミラー（反射手段）２と、該反射ミラー２にて反射された光像が投射されるスクリーン３と、を備えていて、背面側（矢印Ｒに示す側）からスクリーン３に投射された光像を正面側（矢印Ｆに示す側）から視認できるように構成されている。
【０００５】
ところで、最近は、このようなリアプロジェクタを用いてパソコンの画面を表示する場合が増えている。かかる場合、スクリーン３にはパソコン画面の全てが表示される必要があり（つまり、パソコン画面を表示する場合、有効画素はスクリーン上で必ず表示される必要があり、テレビ画面のようにオーバースキャンして画面の４辺のある範囲の画素を画面に表示しなくても良いと言う訳にはいかず）、スクリーン３における画像表示位置を調整するための機構が付加されている。以下、この位置調整機構について図６乃至図１２に沿って説明する。
【０００６】
上述のようなリアプロジェクタにおいて、パソコンなどの画像をスクリーン画面上に欠けることなく表示させるためには、図６に示すように、映像源１を、符号±θｘ，±θｙ，±θｚに示す方向に回転可能に構成すると共に、符号±Ｘ，±Ｙ，±Ｚに示す方向に移動可能に構成する必要がある。これにより、以下のような画像調整が可能となる。すなわち、
▲１▼　表示される画像が、図７に符号Ｅ０１，Ｅ０２で示すように傾いている場合には、映像源１を光軸回りに＋θｙ又は−θｙに回転させれば、スクリーン３に表示される画像をその中心点周りに回転し、画像の辺とスクリーン３の辺とが平行になるように調整することができる（符号Ｅ００参照）。
【０００７】
▲２▼　表示される画像が、図８に符号Ｅ１１，Ｅ１２で示すように位置ズレやアオリを生じたもの（画像上辺と画像下辺とが等しい長さでなく、一方が他方より長い画像）となっている場合には、映像源１を＋θｘ又は−θｘに回転させれば、符号Ｅ１０に示すような適正な画像にすることができる。
【０００８】
▲３▼　同様に、表示される画像が、図９に符号Ｅ２１，Ｅ２２で示すように位置ズレやアオリを生じたもの（画像左辺と画像右辺とが等しい長さでなく、一方が他方より長い画像）となっている場合には、映像源１を＋θｚ又は−θｚに回転させれば、符号Ｅ２０に示すような適正な画像にすることができる。
【０００９】
▲４▼　また、表示される画像が、図１０に符号Ｅ３１，Ｅ３２で示すように、左右いずれかに偏っていてスクリーン３の真ん中に無いような場合には、映像源１を＋Ｘ又は−Ｘ方向にスライド移動させて調整することにより、符号Ｅ３０に示すような適正な画像にすることができる。
【００１０】
▲５▼　同様に、表示される画像が、図１１に符号Ｅ４１，Ｅ４２で示すように、上下いずれかに偏っていてスクリーン３の真ん中に無いような場合には、映像源１を＋Ｚ又は−Ｚ方向にスライド移動させて調整することにより、符号Ｅ４０に示すような適正な画像にすることができる。
【００１１】
▲６▼　また、表示される画像が、図１２に符号Ｅ５１，Ｅ５２で示すように、スクリーン３に比べて小さすぎたり大きすぎたりした場合には、映像源１を＋Ｙ又は−Ｙ方向にスライド移動させて調整することにより、符号Ｅ５０に示すような適正な画像にすることができる。
【００１２】
【発明が解決しようとする課題】
ところで、上述のような装置においては、映像源１だけで６軸全ての方向の位置調整を行うようになっているため、位置調整が困難になるという問題があった。すなわち、他の位置ズレを生じさせない状態で、上下方向（±Ｙ方向）の位置調整（上記▲５▼参照）だけを実行するのは非常に困難を伴うものであり、その作業を簡素化するには調整機構を複雑な構造のものにしなければならなかった。そして、上下方向の位置調整時に他の軸の位置ズレが生じてしまった場合には、画像拡大に伴って位置ズレも拡大してしまい、その修正には多大な苦労が必要であった。
【００１３】
そこで、本発明は、簡素な構造でありながら位置調整が容易となる背面投射型プロジェクタ装置を提供することを目的とするものである。
【００１４】
【課題を解決するための手段】
本発明は上記事情を考慮してなされたものであり、光像を出力する光像出力手段と、該光像出力手段からの光像を反射させる反射手段と、該反射手段にて反射された光像が投射されるスクリーン部材と、を備え、該スクリーン部材の背面側から投射された光像を該スクリーン部材の正面側から視認するようにした背面投射型プロジェクタ装置において、
正面側に露出されている前記スクリーン部材中の領域は位置調整可能に構成され、
前記光像出力手段は位置調整可能に構成され、かつ、
前記スクリーン部材中の領域及び前記光像出力手段の位置を適正に調整することに基き、前記光像出力手段からの光像が前記スクリーン部材中の領域に適正に投射されるようにした、ことを特徴とする。
【００１５】
【発明の実施の形態】
以下、図面を参照して、本発明の実施の形態について説明する。
【００１６】
本発明に係る背面投射型プロジェクタ装置は、図１に示すように、光像を出力する光像出力手段１と、該光像出力手段１からの光像を反射させる反射手段２と、該反射手段２にて反射された光像が投射されるスクリーン部材３と、を備えており、該スクリーン部材３の背面側（矢印Ｒで示す側であって、前記反射手段２が配置されている側）から投射された光像を該スクリーン部材３の正面側（矢印Ｆで示す側）から視認するように構成されている。
【００１７】
なお、このスクリーン部材３における正面側Ｆに露出されている領域（以下、“画像表示領域Ａ”とする）、及び光像出力手段１は、共に、位置調整可能に構成されており、これらの画像表示領域Ａ及び前記光像出力手段１の位置を適正に調整することに基き、前記光像出力手段１からの光像が前記画像表示領域Ａの適正な位置に投射されるように構成されている。
【００１８】
ここで、前記画像表示領域Ａとは、
・　スクリーン部材３の周縁部が被覆部材５にて被覆されている場合には、該被覆部材５にて被覆されていない領域（つまり、該被覆部材５にて囲まれた領域）のことをいい、
・　そのような被覆部材５が配置されていない場合には、スクリーン部材３の全体のことをいう
が、画像表示領域Ａの位置を調整するには、
・　前者の場合には、被覆部材５を（スクリーン部材３と一緒に、或いはスクリーン部材３とは別に）上下方向や左右方向に位置調整可能に構成すれば良く、
・　後者の場合には、前記スクリーン部材３を上下方向や左右方向に位置調整可能に構成しておけば良い。
【００１９】
上述した光像出力手段１にて位置調整できる方向は、図２に示すように、
・　反射手段２に沿った方向（符号±Ｘ参照）、
・　光像を出力する方向（符号±Ｙ参照）、
・　Ｘ軸回りに回転する方向（符号±θｘ参照）、
・　Ｙ軸回りに回転する方向（符号±θｙ参照）、
・　Ｚ軸回りに回転する方向（符号±θｚ参照）、
とすれば良く、±Ｚ方向の位置調整は光像出力手段１によってではなく画像表示領域Ａによって行えば良い。
【００２０】
なお、光像出力手段１は図示の５軸方向に全て位置調整可能にしておく必要はなく、位置調整できるのが４軸方向以下であっても良い。つまり、画像表示領域Ａが少なくとも一の方向に位置調整が可能であり、光像出力手段１が少なくとも一の方向に位置調整が可能であれば良い。
【００２１】
また、上述した光像出力手段１は、光を出射する光源と、該光源からの光をスイッチングして光像に変換するライトバルブと、によって構成すると良い。
【００２２】
さらに、上述した光像出力手段１や反射手段２は筐体４の内部に収納し、スクリーン部材３は、その筐体４の開口部４ａの部分に配置すると良い。
【００２３】
次に、本実施の形態の効果について説明する。
【００２４】
本実施の形態によれば、画像表示領域Ａの位置調整は光像出力手段１の位置調整とは独立して行うことができるため、簡単な構成ながら位置調整作業が容易となる。
【００２５】
【実施例】
以下、実施例に沿って本発明を更に詳細に説明する。
【００２６】
（実施例１）
本実施例では、図１乃至図３に示す背面投射型プロジェクタ装置を作製した。
【００２７】
つまり、図１に示すように、筐体４の内部には映像源（光像出力手段）１や反射ミラー（反射手段）２を配置し、筐体４の開口部にはスクリーン３を配置し、スクリーン３の外周はエスカッション（被覆部材）５にて被覆した。
【００２８】
そして、映像源１は図２に示すように、±Ｘ及び±Ｙ方向に移動可能とし、±θｘ，±θｙ，±θｚ方向に回動可能とし、それぞれの方向で位置調整できるようにした。
【００２９】
また、スクリーン３は筐体４に固定したが、エスカッション５はスクリーン３に対して±Ｚ方向に上下動できるようにした。
【００３０】
該装置においては、投射された光像にアオリがある場合には映像源１の位置調整によって解消し、上下方向に偏りがある場合（つまり、図に符号Ｚ１で示す寸法と符号Ｚ２で示す寸法とが等しくない場合）にはエスカッション５を上下いずれかに移動することにより、解消できる。
【００３１】
ここで、エスカッション５を移動させる機構について、図３に沿って説明する。
【００３２】
本実施例においては、筐体４の開口部（図１の符号４ａ参照）を閉塞するようにスクリーン３が配置しており、該スクリーン３は、固定ビス１０とスクリーン固定板１１ａ，１１ｂ，１１ｃ，１１ｄとによって筐体４に固定した。そして、左右のスクリーン固定板１１ａ，１１ｂには長孔１２ａ，１２ｂ，１２ｃ，１２ｄを形成すると共に、エスカッション５にはボス部５ａ，５ｂ，５ｃ，５ｄを形成し、これらのボス部５ａ，５ｂ，５ｃ，５ｄを長孔１２ａ，１２ｂ，１２ｃ，１２ｄに嵌め込むことにより、エスカッション５を上下方向に位置調整できるように構成した。なお、上側スクリーン固定板１１ｃ及び左右側スクリーン固定板１１ａ，１１ｂには別の長孔１３，…も形成し、位置調整後のエスカッション５をビス１４によって固定できるようにした。
【００３３】
本実施例によれば、画像の位置調整を簡単にできた。
【００３４】
（実施例２）
本実施例では、図４に示す背面投射型プロジェクタ装置を作製した。すなわち、実施例１では反射ミラー（反射手段）２を垂直にして反射光が斜め下からスクリーン３に投射されるようにしたが、本実施例では、反射ミラー（反射手段）２を図示のように傾けて反射光がほぼ水平にスクリーン３に投射されるようにしている。その他の構成は実施例１と同じとした。
【００３５】
【発明の効果】
以上説明したように、本発明によると、画像表示領域の位置調整は光像出力手段の位置調整とは独立して行うことができるため、簡単な構成ながら位置調整作業が容易となる。
【図面の簡単な説明】
【図１】本発明に係る背面投射型プロジェクタ装置の全体構造を示す断面図。
【図２】位置調整機構を説明するための模式図。
【図３】エスカッションの取り付け構造等を示す分解斜視図。
【図４】本発明に係る背面投射型プロジェクタ装置の全体構造を示す断面図。
【図５】従来の背面投射型プロジェクタ装置の構造の一例を示す断面図。
【図６】映像源の位置調整機構を説明するための図。
【図７】位置調整の様子を説明するための図。
【図８】位置調整の様子を説明するための図。
【図９】位置調整の様子を説明するための図。
【図１０】位置調整の様子を説明するための図。
【図１１】位置調整の様子を説明するための図。
【図１２】位置調整の様子を説明するための図。
【符号の説明】
１　　　　映像源（光像出力手段）
２　　　　反射ミラー（反射手段）
３　　　　スクリーン（スクリーン部材）
４　　　　筐体
５　　　　エスカッション（被覆部材）
【図１】
2004069776.tif 000003
【図２】
2004069776.tif 000004
【図３】
2004069776.tif 000005
【図４】
2004069776.tif 000006
【図５】
2004069776.tif 000007
【図６】
2004069776.tif 000008
【図７】
2004069776.tif 000009
【図８】
2004069776.tif 000010
【図９】
2004069776.tif 000011
【図１０】
2004069776.tif 000012
【図１１】
2004069776.tif 000013
【図１２】
2004069776.tif 000014